【手続補正書】
【提出日】平成20年2月21日(2008.2.21)
【手続補正１】
【補正対象書類名】明細書
【補正対象項目名】発明の名称
【補正方法】変更
【補正の内容】
【発明の名称】訂正候補のドメイン名を通知するサーバ装置、システム、ＤＮＳサーバ装置、及び、メールサーバ
【手続補正２】
【補正対象書類名】明細書
【補正対象項目名】特許請求の範囲
【補正方法】変更
【補正の内容】
【特許請求の範囲】
【請求項１】  クライアントコンピュータがインターネット上の所定サイトにアクセスする際に行われるＤＮＳサーバへのＩＰアドレスの問合わせを代行するサーバ装置であって、
前記所定サイトのドメイン名を指定する文字列を前記クライアントコンピュータから取得する手段と、
前記文字列に対応するＩＰアドレスをＤＮＳサーバに問合わせる手段と、
前記問い合わせに対し、前記ＤＮＳサーバから、前記文字列に対応するＩＰアドレスが存在しない旨の通知を受信した場合に、前記文字列に基づいて、文字列とその訂正候補のドメイン名との対応付けを管理するデータベースから訂正候補のドメイン名を検索する手段と、
前記検索した訂正候補のドメイン名を前記クライアントコンピュータに通知する手段と、
を備えることを特徴とする訂正候補のドメイン名を通知するサーバ装置。
【請求項２】  クライアントコンピュータがインターネット上の所定サイトにアクセスする際に行われるＤＮＳサーバへのＩＰアドレスの問合わせを代行するサーバ装置であって、
前記所定サイトのドメイン名を指定する文字列を前記クライアントコンピュータから取得する手段と、
前記文字列に対応するＩＰアドレスをＤＮＳサーバに問合わせる手段と、
前記問い合わせに対し、前記ＤＮＳサーバから、前記文字列に対応するＩＰアドレスが存在しない旨の通知を受信した場合に、前記文字列に基づいて、文字列とその訂正候補のドメイン名との対応付けを管理するデータベースから訂正候補のドメイン名を検索する手段と、
前記検索した訂正候補のドメイン名に基づいた、ＵＲＬなどの訂正候補の文字列を生成する手段と、
前記生成した訂正候補の文字列を前記クライアントコンピュータに通知する手段と、
を備えることを特徴とする訂正候補のドメイン名を通知するサーバ装置。
【請求項３】  クライアントコンピュータと、クライアントコンピュータがインターネット上の所定サイトにアクセスする際に行われるＤＮＳサーバへのＩＰアドレスの問合わせを代行するサーバ装置とが通信回線により相互に接続された訂正候補のドメイン名を通知するシステムであって、
前記サーバには、
前記所定サイトのドメイン名を指定する文字列を前記クライアントコンピュータから取得する手段と、
前記文字列に対応するＩＰアドレスをＤＮＳサーバに問合わせる手段と、
前記問い合わせに対し、前記ＤＮＳサーバから、前記文字列に対応するＩＰアドレスが存在しない旨の通知を受信した場合に、前記文字列に基づいて、文字列とその訂正候補のドメイン名との対応付けを管理するデータベースから訂正候補のドメイン名を検索する手段と、
前記検索した訂正候補のドメイン名を前記クライアントコンピュータに通知する手段と、を備え、
前記クライアントコンピュータには、
前記通知された訂正候補のドメイン名を受信する手段と、
前記受信した訂正候補のドメイン名に基づいた、ＵＲＬなどの訂正候補の文字列を生成する手段と、を備えることを特徴とする訂正候補のドメイン名を通知するシステム。
【請求項４】  クライアントコンピュータがインターネット上の所定サイトにアクセスする際に行われるＩＰアドレスの問合わせに応答するＤＮＳサーバ装置であって、
前記クライアントコンピュータからの、前記所定サイトのドメイン名を指定する文字列に対応するＩＰアドレスの問合せに対して、前記文字列に対応するＩＰアドレスが存在しない場合に、前記文字列に基づいて、文字列とその訂正候補のドメイン名との対応付けを管理するデータベースから訂正候補のドメイン名を検索する手段と、
前記検索した訂正候補のドメイン名を前記クライアントコンピュータに通知する手段と、
を備えることを特徴とする訂正候補のドメイン名を通知するＤＮＳサーバ装置。
【請求項５】  メーラから送られてきた送信メールを処理するメールサーバであって、
メーラから送られてきた送信メールの転送先となる管轄メールサーバをＤＮＳサーバに問い合わせる手段と、
前記問合わせに対しＤＮＳサーバからドメイン名が存在しない旨が通知された場合に、前記送信メールの宛先アドレスのドメイン名の部分に基づいて訂正候補のドメイン名を検索する手段と、
前記検索した訂正候補のドメイン名に基づいて訂正候補のメールアドレスを生成する手段と、
前記訂正候補のメールアドレスを記載したメールを作成する手段と、
前記作成したメールを前記送信メールの差出人宛てに送信する手段と、
を備えることを特徴とする訂正候補のメールアドレスを通知するメールサーバ。
【手続補正３】
【補正対象書類名】明細書
【補正対象項目名】０００６
【補正方法】変更
【補正の内容】
【０００６】
【課題を解決するための手段】
この目的を達成する本発明の請求項１に記載の発明は、クライアントコンピュータがインターネット上の所定サイトにアクセスする際に行われるＤＮＳサーバへのＩＰアドレスの問合わせを代行するサーバ装置であって、前記所定サイトのドメイン名を指定する文字列を前記クライアントコンピュータから取得する手段と、前記文字列に対応するＩＰアドレスをＤＮＳサーバに問合わせる手段と、前記問い合わせに対し、前記ＤＮＳサーバから、前記文字列に対応するＩＰアドレスが存在しない旨の通知を受信した場合に、前記文字列に基づいて、文字列とその訂正候補のドメイン名との対応付けを管理するデータベースから訂正候補のドメイン名を検索する手段と、前記検索した訂正候補のドメイン名を前記クライアントコンピュータに通知する手段と、を備えることとする。
【手続補正４】
【補正対象書類名】明細書
【補正対象項目名】０００７
【補正方法】変更
【補正の内容】
【０００７】
また、本発明の請求項２に記載の発明は、クライアントコンピュータがインターネット上の所定サイトにアクセスする際に行われるＤＮＳサーバへのＩＰアドレスの問合わせを代行するサーバ装置であって、前記所定サイトのドメイン名を指定する文字列を前記クライアントコンピュータから取得する手段と、前記文字列に対応するＩＰアドレスをＤＮＳサーバに問合わせる手段と、前記問い合わせに対し、前記ＤＮＳサーバから、前記文字列に対応するＩＰアドレスが存在しない旨の通知を受信した場合に、前記文字列に基づいて、文字列とその訂正候補のドメイン名との対応付けを管理するデータベースから訂正候補のドメイン名を検索する手段と、前記検索した訂正候補のドメイン名に基づいた、ＵＲＬなどの訂正候補の文字列を生成する手段と、前記生成した訂正候補の文字列を前記クライアントコンピュータに通知する手段と、を備えることとする。
【手続補正５】
【補正対象書類名】明細書
【補正対象項目名】０００８
【補正方法】変更
【補正の内容】
【０００８】
また、本発明の請求項３に記載の発明は、クライアントコンピュータと、クライアントコンピュータがインターネット上の所定サイトにアクセスする際に行われるＤＮＳサーバへのＩＰアドレスの問合わせを代行するサーバ装置とが通信回線により相互に接続された訂正候補のドメイン名を通知するシステムであって、前記サーバには、前記所定サイトのドメイン名を指定する文字列を前記クライアントコンピュータから取得する手段と、前記文字列に対応するＩＰアドレスをＤＮＳサーバに問合わせる手段と、前記問い合わせに対し、前記ＤＮＳサーバから、前記文字列に対応するＩＰアドレスが存在しない旨の通知を受信した場合に、前記文字列に基づいて、文字列とその訂正候補のドメイン名との対応付けを管理するデータベースから訂正候補のドメイン名を検索する手段と、前記検索した訂正候補のドメイン名を前記クライアントコンピュータに通知する手段と、を備え、前記クライアントコンピュータには、前記通知された訂正候補のドメイン名を受信する手段と、前記受信した訂正候補のドメイン名に基づいた、ＵＲＬなどの訂正候補の文字列を生成する手段と、を備えることとする。
【手続補正６】
【補正対象書類名】明細書
【補正対象項目名】０００９
【補正方法】変更
【補正の内容】
【０００９】
また、本発明の請求項４に記載の発明は、クライアントコンピュータがインターネット上の所定サイトにアクセスする際に行われるＩＰアドレスの問合わせに応答するＤＮＳサーバ装置であって、前記クライアントコンピュータからの、前記所定サイトのドメイン名を指定する文字列に対応するＩＰアドレスの問合せに対して、前記文字列に対応するＩＰアドレスが存在しない場合に、前記文字列に基づいて、文字列とその訂正候補のドメイン名との対応付けを管理するデータベースから訂正候補のドメイン名を検索する手段と、前記検索した訂正候補のドメイン名を前記クライアントコンピュータに通知する手段と、を備えることとする。
【手続補正７】
【補正対象書類名】明細書
【補正対象項目名】００１０
【補正方法】変更
【補正の内容】
【００１０】
さらに、本発明の請求項５に記載の発明は、メーラから送られてきた送信メールを処理するメールサーバであって、メーラから送られてきた送信メールの転送先となる管轄メールサーバをＤＮＳサーバに問い合わせる手段と、前記問合わせに対しＤＮＳサーバからドメイン名が存在しない旨が通知された場合に、前記送信メールの宛先アドレスのドメイン名の部分に基づいて訂正候補のドメイン名を検索する手段と、前記検索した訂正候補のドメイン名に基づいて訂正候補のメールアドレスを生成する手段と、前記訂正候補のメールアドレスを記載したメールを作成する手段と、前記作成したメールを前記送信メールの差出人宛てに送信する手段と、を備えることとする。